(57)【要約】【課題】  右納まり仕様と左納まり仕様の先頭ランナーを共通化し、かつ先頭ランナーと他のランナーとを共通化し得る縦型ブラインドを提供する。【解決手段】  ハンガーレール１内に多数のランナー２を移動可能に支持し、各ランナー２からそれぞれスラット４を吊下支持し、先頭ランナー２ａをハンガーレール１の一端から垂下される操作コード５で移動操作して各ランナー２，２ａを移動させることにより、スラット４の引き出し及び畳み込み操作を行う縦型ブラインドにおいて、ランナー２にリードケースを嵌合し、該リードケースに操作コード５を取着して先頭ランナー２ａを構成し、ランナーの移動方向におけるリードケースの前後側面に該リードケースをハンガーレール端部に保持する保持手段を取着した。【選択図】      図１
2006249780.tif 000002
【特許請求の範囲】
【請求項１】
ハンガーレール内に多数のランナーを移動可能に支持し、前記各ランナーからそれぞれスラットを吊下支持し、先頭ランナーを前記ハンガーレールの一端から垂下される操作コードで移動操作して各ランナーを移動させることにより、前記スラットの引き出し及び畳み込み操作を行う縦型ブラインドにおいて、
前記ランナーにリードケースを嵌合し、該リードケースに前記操作コードを取着して前記先頭ランナーを構成し、前記ランナーの移動方向における前記リードケースの前後側面に該リードケースをハンガーレール端部に保持する保持手段を取着したことを特徴とする縦型ブラインド。
【請求項２】
前記リードケースを、前記ランナーの移動方向に対し直交する方向の中心線に対し線対称状に形成したことを特徴とする請求項１記載の縦型ブラインド。
【請求項３】
前記リードケースは、上方を開口した箱状に形成し、前記ランナーを上方から嵌合可能としたことを特徴とする請求項１又は２記載の縦型ブラインド。
【請求項４】
前記操作コードは、前記リードケースの底面近傍に取着したことを特徴とする請求項１乃至３のいずれか１項に記載の縦型ブラインド。
【請求項５】
前記保持手段は、前記ハンガーレールの端部に吸着するマグネットで構成したことを特徴とする請求項１乃至４のいずれか１項に記載の縦型ブラインド。
【発明の詳細な説明】
【技術分野】
【０００１】
この発明は、縦型ブラインドのスラットをハンガーレールに沿って移動させるスラット操作装置に関するものである。
【背景技術】
【０００２】
縦型ブラインドは、ハンガーレール内を移動可能に支持されたランナーからスラットがそれぞれ回動可能に吊下支持される。各ランナーはスペーサーで連結され、操作装置で先頭ランナーをハンガーレールに沿って移動させると、その先頭ランナーに後続のランナーが追随して、各スラットがハンガーレールに沿って引き出され、あるいはハンガーレールの一側に畳み込まれる。
【０００３】
先頭ランナーを移動させるための操作装置は、螺旋状の溝を備えたランナー移送軸がハンガーレールの全長に亘って配設され、そのランナー移送軸を操作コードを介して回転駆動することにより先頭ランナーを移動させるもの、あるいはハンガーレール内を移動する操作コードで先頭ランナーを移動させるもの等がある。
【０００４】
また、各スラットは操作装置により角度調節可能である。その操作装置は、ハンガーレールに回転可能に支持された角度調節軸が各ランナーに嵌挿され、その角度調節軸を回転駆動することにより、各スラットを同位相で角度調節する構成である。角度調節軸は、ハンガーレールの一側に垂下される操作棒を回転操作することにより、ギヤボックスを介して回転される構成としたもの、あるいは角度調節軸の一端に取着されたプーリーに操作コードを掛装し、その操作コードによりプーリーを介して回転操作する構成としたもの等がある。
【０００５】
このような縦型ブラインドでは、スラットをハンガーレールの全長に亘って引き出すとき、先頭ランナーをハンガーレールの端部で保持するために、先頭ランナーをハンガーレール端部に吸着するマグネットが設けられている。
【０００６】
特許文献１には、ランナーに枠体を取着することにより、先頭ランナーを構成する技術思想が開示されている。
【特許文献１】実公昭４７−３４２２０号公報
【発明の開示】
【発明が解決しようとする課題】
【０００７】
上記のような縦型ブラインドでは、右納まり仕様と左納まり仕様では、先頭ランナーに対するマグネットの取付位置が反対側となる。従って、右納まり仕様と左納まり仕様ではそれぞれ別の先頭ランナーを用意する必要があり、部品点数が増大する。
【０００８】
また、先頭ランナーは操作装置の操作に基づいてハンガーレールに沿って移動して、他のランナーを追随して移動させる機能を必要とすることから、先頭ランナーとその他のランナーとは別部品とする必要があり、部品点数が増大する。
【０００９】
特許文献１には、先頭ランナー（親ランナー）とその他のランナーとを共通化する構成が開示されているが、右納まり仕様と左納まり仕様の先頭ランナーを共通化するための構成は開示されていない。
【００１０】
この発明の目的は、右納まり仕様と左納まり仕様の先頭ランナーを共通化し、かつ先頭ランナーと他のランナーとを共通化し得る縦型ブラインドを提供することにある。
【課題を解決するための手段】
【００１１】
請求項１では、ハンガーレール内に多数のランナーを移動可能に支持し、前記各ランナーからそれぞれスラットを吊下支持し、先頭ランナーを前記ハンガーレールの一端から垂下される操作コードで移動操作して各ランナーを移動させることにより、前記スラットの引き出し及び畳み込み操作を行う縦型ブラインドにおいて、前記ランナーにリードケースを嵌合し、該リードケースに前記操作コードを取着して前記先頭ランナーを構成し、前記ランナーの移動方向における前記リードケースの前後側面に該リードケースをハンガーレール端部に保持する保持手段を取着した。
【００１２】
請求項２では、前記リードケースを、前記ランナーの移動方向に対し直交する方向の中心線に対し線対称状に形成した。
請求項３では、前記リードケースは、上方を開口した箱状に形成し、前記ランナーを上方から嵌合可能とした。
【００１３】
請求項４では、前記操作コードは、前記リードケースの底面近傍に取着した。
請求項５では、前記保持手段は、前記ハンガーレールの端部に吸着するマグネットで構成した。
【発明の効果】
【００１４】
本発明によれば、右納まり仕様と左納まり仕様の先頭ランナーを共通化し、かつ先頭ランナーと他のランナーとを共通化し得る縦型ブラインドを提供することができる。
【発明を実施するための最良の形態】
【００１５】
以下、この発明を具体化した縦型ブラインドの一実施の形態を図面に従って説明する。図１及び図２に示す縦型ブラインドは、ハンガーレール１内に多数のランナー２が移動可能に支持され、各ランナー２に設けられるフック３からそれぞれスラット４が吊下支持される。
【００１６】
前記ランナー２の先頭ランナー２ａには操作コード５が接続される。すなわち、操作コード５の一端６ａは先頭ランナー２ａに取着され、ハンガーレール１の一方側辺に沿ってハンガーレール１の他端側に案内される。そして、ハンガーレール１の他端に設けられる案内ローラー７ａ，７ｂを経て、同ハンガーレール１の他方側辺に向かって案内され、さらに他方側辺に沿ってハンガーレール１一端に案内され、同ハンガーレール１の一端から下方へ垂下される。
【００１７】
また、操作コード５の他端６ｂは先頭ランナー２ａに取着され、ハンガーレール１の一方側辺に沿ってハンガーレール１一端に案内され、同ハンガーレール１の一端から下方へ垂下される。従って、ハンガーレール１の一端から垂下される操作コード５は無端状となり、その操作コード５の操作により先頭ランナー２ａをハンガーレール１に沿って移動操作可能である。
【００１８】
図３に示すように、ハンガーレール１の両側辺の下端部は、互いに対向するように水平方向に屈曲され、その先端部に上方に延びるリブ８が形成されて、前記操作コードを案内する案内溝９がそれぞれ形成されている。
【００１９】
前記各ランナー２，２ａには、３条のスプラインを備えたチルト軸１０が嵌挿され、そのチルト軸１０の回転にともなって前記フック３を回動させるウォーム機構が内蔵されている。
【００２０】
前記ハンガーレールの一端には、ギヤボックス１１が取着され、その入力軸から操作棒１２が垂下されている。また、ギヤボックス１１の出力軸には前記チルト軸１０の一端が連結されている。従って、操作棒１２の回転操作に基づいて、チルト軸１０が回転される。
【００２１】
前記ランナー２，２ａは、スペーサー１３で連結され、各ランナー２，２ａの最大離間距離が設定されている。
前記先頭ランナー２ａは、図３及び図４に示すように、他のランナー２と同一構成のランナー２にリードケース１４を嵌合することにより構成される。そのリードケース１４の構成を図７〜図１０に従って説明する。
【００２２】
リードケース１４は、上方を開口した箱状に形成され、ハンガーレール１内における移動方向の両側面には、図３に示すマグネット１５ａ，１５ｂ（保持手段）を嵌着するための凹部１６ａ，１６ｂがそれぞれ設けられている。
【００２３】
前記凹部１６ａ，１６ｂの両側には、前記チルト軸１０あるいはスラット移送軸を挿通するための透孔１７ａ，１７ｂがそれぞれ設けられる。本実施の形態では、透孔１７ａにのみチルト軸１０が挿通され、透孔１７ｂは使用されない。また、透孔１７ｂの上部には、前記スペーサー１３を挿通可能とした溝部１８が形成されている。
【００２４】
前記リードケース１４の前後方向側面、すなわちハンガーレール１の内側面に対向する側面には、図９に示すように、前記操作コード５の端部を係止するための係止孔１９がそれぞれ２つずつ設けられている。そして、操作コード５の両端部はリードケース１４の外側から係止孔１９内に挿入され、リードケース１４内において結び目を作ることにより、リードケース１４に取着される。
【００２５】
前記係止孔１９の側方には、同係止孔１９に取着された操作コード５を前記案内溝９内に案内するガイド突起（ガイド部）２０ａ，２０ｂが設けられている。すなわち、前記操作コード５の両端は、案内溝９の底面よりやや上方で係止孔１９に取着され、ガイド突起２０ａ，２０ｂはその取付位置の側方にそれぞれ形成される。
【００２６】
そして、操作コード５の両端部は、取付位置からガイド突起２０ａ，２０ｂの下方に掛装されて、案内溝９内に案内される。従って、操作コード５の両端部は、先頭ランナー２ａに対する取付位置から下方に向かって案内されて、直ちに案内溝９内に案内される。
【００２７】
前記係止孔１９間には、このリードケース１４にランナー２の車輪２１をリードケース１４外へ露出させた状態で嵌合するための嵌合溝２２が形成されている。また、リードケース１４の底面には、ランナー２のフックを嵌挿するための透孔２３が形成されている。
【００２８】
そして、このように構成されたリードケース１４は、前後方向の中心線に対し線対称状に形成されているので、ランナー２に対し１８０度回転させて嵌合することも可能である。
【００２９】
このように構成された縦型ブラインドでは、図１及び図２において、操作コード５を操作して、先頭ランナー２ａを左方へ移動させれば、後続のランナー２がスペーサー１３を介して順次引き出される。そして、先頭ランナー２ａをハンガーレール１の端部まで移動させると、リードケース１４のマグネット１５ａがハンガーレール１の端部に吸着されて保持される。
【００３０】
この状態で、操作棒１２を操作すると、チルト軸１０が回転され、各スラット４が同位相で角度調節される。
一方、操作コード５を操作して、先頭ランナー２ａを右方へ移動させると、後続のランナー２が先頭ランナー２ａにより順次押し戻され、先頭ランナー２ａをハンガーレール１の端部近傍まで移動させれば、各スラット４がハンガーレール１の右端側に畳み込まれる。従って、図１及び図２に示す縦型ブラインドは、右納まり仕様とした場合である。
【００３１】
図１１及び図１２は、左納まり仕様とした場合を示す。この場合には、最も右側に位置するランナー２に対し、図５及び図６に示すようにリードケース１４が嵌合されて先頭ランナー２ａが構成される。この状態では、リードケース１４はハンガーレール１に対し１８０度回転させた状態となる。
【００３２】
このような構成では、操作コード５を操作して、先頭ランナー２ａを右方へ移動させれば、各スラット４が順次引き出され、先頭ランナー２ａをハンガーレール１の端部まで移動させると、リードケース１４のマグネット１５ａがハンガーレール１の端部に吸着されて保持される。
【００３３】
また、先頭ランナー２ａを左方へ移動させれば、各スラット４がハンガーレール１の左端側に畳み込まれる。従って、図１１及び図１２に示す縦型ブラインドは、左納まり仕様とした場合である。
【００３４】
図１３は、リードケース１４を嵌合するランナー２を変更して、先頭ランナー２ａを変更する場合を示す。先頭ランナー２ａは、あらかじめスペーサー１３で連結された多数のランナー２のうちの先頭に位置するランナー２にリードケース１４を取着して構成するが、設置位置の窓面の幅が小さい場合、すなわちハンガーレール１の長さが短くて、ランナー２の数が過剰である場合には、先頭ランナー２ａを変更してランナー２の数を変更することが可能である。
【００３５】
すなわち、図１３に鎖線で示すランナー２にリードケース１４を嵌合し、スペーサー１３をＡ位置で切断することにより、先頭ランナー２ａの変更及びランナー数の変更が可能となる。そして、各ランナー２にチルト軸１０を挿通してハンガーレール１内に収容する。
【００３６】
上記のように構成された縦型ブラインドでは、次に示す作用効果を得ることができる。
（１）右納まり仕様と左納まり仕様とで、共通のリードケース１４を使用して、先頭ランナー２ａを構成することができる。従って、先頭ランナー２ａを共通化して部品点数を削減することができる。
（２）リードケース１４をランナー２に嵌合することにより、いずれのランナー２でも先頭ランナー２ａとすることができる。従って、簡単な構成のリードケース１４を嵌合するだけで先頭ランナー２ａを構成することができ、先頭ランナー２ａと他のランナー２とを共通化して部品点数を削減することができる。
（３）リードケース１４を嵌合するランナー２を変更し、スペーサー１３を切断することにより、ハンガーレール１の長さに対応して、ランナー２の数、すなわちスラット４の枚数を適宜に削減することができる。従って、設置現場でのスラット４の枚数の調整を容易に行うことができる。
（４）操作コード５の操作に基づいて先頭ランナー２ａを移動させる際、先頭ランナー２ａの移動が阻害された状態で操作力がリードケース１４に作用しても、操作力が作用するのは底面近傍に位置する係止孔１９部分である。従って、操作力の作用点に十分な強度を確保し易いので、リードケース１４すなわち先頭ランナー２ａの破損を未然に防止することができる。
（５）ランナー２をリードケース１４に対し上方から容易に嵌合することができる。
【００３７】
上記実施の形態は、以下の態様で実施してもよい。
・保持手段として、マグネット以外の例えば面ファスナー等の他の保持手段を使用してもよい。
【図面の簡単な説明】
【００３８】
【図１】右納まり仕様の縦型ブラインドを示す正面図である。
【図２】右納まり仕様の縦型ブラインドを示す平面図である。
【図３】先頭ランナーを示す正面図である。
【図４】先頭ランナーを示す平面図である。
【図５】左納まり仕様の先頭ランナーを示す正面図である。
【図６】左納まり仕様の先頭ランナーを示す平面図である。
【図７】リードケースを示す平面図である。
【図８】リードケースを示す正面図である。
【図９】リードケースを示す側面図である。
【図１０】図８におけるＡ−Ａ線断面図である。
【図１１】左納まり仕様の縦型ブラインドを示す正面図である。
【図１２】左納まり仕様の縦型ブラインドを示す平面図である。
【図１３】リードケースの付け替え動作を示す説明図である。
【符号の説明】
【００３９】
１          ハンガーレール
２          ランナー
２ａ        先頭ランナー
４          スラット
５          操作コード
１４        リードケース
１５ａ，１５ｂ      保持手段（マグネット）
９ａ，９ｂ        ガイド部（ガイド突起）
【図１】
2006249780.tif 000003
【図２】
2006249780.tif 000004
【図３】
2006249780.tif 000005
【図４】
2006249780.tif 000006
【図５】
2006249780.tif 000007
【図６】
2006249780.tif 000008
【図７】
2006249780.tif 000009
【図８】
2006249780.tif 000010
【図９】
2006249780.tif 000011
【図１０】
2006249780.tif 000012
【図１１】
2006249780.tif 000013
【図１２】
2006249780.tif 000014
【図１３】
2006249780.tif 000015